(57)【要約】【目的】  効率的に蒸気を排出することが可能な、包装用容器の蓋を提供すること。【構成】  請求項１に記載の包装用容器の蓋は、容器本体内部に食品を収容した状態で電子レンジで加熱することが予定された包装用容器本体に被せる蓋の蓋面部に、渦巻状の切込みを設けて弁を形成した。請求項２に記載の発明は、請求項１記載の包装用容器の蓋において、渦方向が逆となると共に、中心が略同一位置に存する二本の渦巻状の切込みを設けることで弁を形成した。請求項３に記載の包装用容器の蓋は、容器本体内部に食品を収容した状態で電子レンジで加熱することが予定された包装用容器本体に被せる蓋の蓋面部に、直線状の切込みを連続させて渦巻に似た形態の切込みを設けて弁を形成した。【選択図】  図１
2020066466.tif 000002
【特許請求の範囲】
【請求項１】
容器本体内部に食品を収容した状態で電子レンジで加熱することが予定された包装用容器本体に被せる蓋であって、
蓋面部に渦巻状の切込みを設けることで弁を形成した包装用容器の蓋。
【請求項２】
渦方向が逆となると共に、中心が略同一位置に存する二本の渦巻状の切込みを設けることで弁を形成した請求項１に記載の包装用容器の蓋。
【請求項３】
容器本体内部に食品を収容した状態で電子レンジで加熱することが予定された包装用容器本体に被せる蓋であって、
蓋面部に直線状の切込みを連続させて渦巻に似た形態の切込みを設けて弁を形成した包装用容器の蓋。
【発明の詳細な説明】
【技術分野】
【０００１】
本発明は弁当や各種の調理済み食品等を収容する場合などに用いる食品包装用容器の蓋に関し、より詳しくは電子レンジで加熱した際に発生する蒸気を、外部に放出するための機構を備えると共に虫などの異物の混入を防ぐことが可能な包装用容器の蓋に関する。
【背景技術】
【０００２】
スーパーやコンビニエンスストアなどの小売店の店頭には、弁当や各種の調理済み食品が包装用容器に包装されて数多く陳列されている。
【０００３】
かかる包装用容器は、食品等を収容可能に構成された容器本体と、該容器本体の開口部に着脱自在に取り付けられた蓋体と、当該蓋体を、内容物を収容した容器本体の開口部に取り付けた状態で、容器本体と蓋体とを固定するフィルム包装材とを備えるものである。
【０００４】
上記のように食品等を収容したうえでフィルム包装された包装用容器は、フィルム包装されたそのままで電子レンジを用いて加熱されることが多い。
【０００５】
上記のような用途に用いられる包装用容器にあっては、容器本体内に収容した食品の液汁等が外部に漏れないように密閉性を確保すると共に、電子レンジで加熱した際に発生する水蒸気で容器が過度に膨張したり、破裂しないように水蒸気を容器外に放出させることが要求される。そこで蓋体に弁を設けたり、あるいは孔部を設けて水蒸気を外部に放出することが行われている。
【０００６】
特許文献１には、電子レンジで加熱したとき容器内部で発生する水蒸気の圧力によって部分的にコーナー部の嵌合を解除して水蒸気を外部に放出させる包装用容器が開示されている。特許文献２には、容器本体のフランジあるいは蓋体のフランジのいずれか少なくとも一方に排気孔を形成した包装用容器が開示されている。
【０００７】
特許文献３には、包装用容器の蓋に切り込みを設けることで弁を形成し、蒸気を逃がすことが可能な包装用容器が開示されている。
【０００８】
特許文献４には、レーザー光線を照射することで蓋に排気孔を設けた包装用容器が開示されている。
【０００９】
特許文献５には、蓋体の天板部に凹面を設けると共に該凹面に切込みを設けた包装用容器の蓋が開示されている。
【先行技術文献】
【特許文献】
【００１０】
【特許文献１】特開２００１−９７４３６号公報
【特許文献２】特開２００７−２７６８３５号公報
【特許文献３】登録実用新案公報第３１３８６０１号
【特許文献４】特開２０１７−８１５９９号公報
【特許文献５】登録実用新案公報第３２１３１１０号
【発明の開示】
【発明が解決しようとする課題】
【００１１】
上記の通り食品等を包装した容器は、電子レンジで加熱した際に蒸気を逃がす手段を設けることが望まれる。
【００１２】
かかる手段として図１７に示すように蓋１に切込み２を設けることで弁３を設けた場合、切込み２の長さが短いと、食品（不図示）を収容した容器本体４に被せて電子レンジで加熱した際に、弁３が持ち上がりにくく、蒸気の排出がうまくいかないという問題点がある。
【００１３】
そこで本発明は、効率的に蒸気を排出することが可能な、包装用容器の蓋を提供することを目的とする。
【課題を解決するための手段】
【００１４】
上記課題を解決する本発明の構成は、以下の通りである。
【００１５】
（１） 請求項１に記載の包装用容器の蓋は、容器本体内部に食品を収容した状態で電子レンジで加熱することが予定された包装用容器本体に被せる蓋の蓋面部に、渦巻状の切込みを設けて弁を形成した。
【００１６】
（２） 請求項２に記載の発明は、請求項１記載の包装用容器の蓋において、渦方向が逆となると共に、中心が略同一位置に存する二本の渦巻状の切込みを設けることで弁を形成した。
【００１７】
（３） 請求項３に記載の包装用容器の蓋は、容器本体内部に食品を収容した状態で電子レンジで加熱することが予定された包装用容器本体に被せる蓋の蓋面部に、直線状の切込みを連続させて渦巻に似た形態の切込みを設けて弁を形成した。
【発明の効果】
【００１８】
本発明に係る包装用容器においては、いずれも上述の通り渦巻状或いは渦巻に似た形態の切込みを設けることで弁が形成してある。
【００１９】
とすると、図１７に示すような渦巻状ではない切込みを設けて形成した弁３に比べ、弁の面積が略同一の場合であれば、切込み長さが長くなる。
【００２０】
かように切込み長さが長くなると、包装用容器本体内部の蒸気の圧力に抵抗する力が弱くなり、つまりは、より容易に弁が持ち上がることになる。
【００２１】
すなわち、本発明によれば効率的に蒸気を排出することが可能な包装用容器の蓋を提供することが可能となるのである。
【図面の簡単な説明】
【００２２】
【図１】請求項１記載の発明の説明斜視図
【図２】同、正面図（背面図、左右の側面図も同一に表れる）
【図３】同、平面図
【図４】同、底面図
【図５】Ａ‐Ａ線断面図
【図６】請求項２記載の発明の説明斜視図
【図７】同、正面図（背面図、左右の側面図も同一に表れる）
【図８】同、平面図
【図９】同、底面図
【図１０】Ｂ‐Ｂ線断面図
【図１１】請求項３記載の発明の説明斜視図
【図１２】同、正面図（背面図、左右の側面図も同一に表れる）
【図１３】同、平面図
【図１４】同、底面図
【図１５】Ｃ‐Ｃ線断面図
【図１６】他の実施例を示す説明平面図
【図１７】従来例を示す説明斜視図
【図１８】説明断面図
【発明を実施するための形態】
【００２３】
一、以下、好ましい本発明の構成要素の実施形態につき、図面を参照しながら概説する。なお、本発明構成要素の実施形態は、下記の実施形態に何ら限定されることはなく、本発明の技術的範囲に属する限り、種々の形態を採りうる。なお、図中Ｕは上方を、Ｓは下方を指すものである。
【００２４】
二、以下、請求項１記載に係る発明につき概説する。
【００２５】
請求項１記載にかかる包装用容器の蓋１０は、図１に示すように容器本体６０の開口部６１に嵌め込まれて使用されるものである。容器本体部６０内には食品が収容され、蓋１０が被せられた状態のまま、電子レンジのマイクロ波照射により加熱調理されるものである。
【００２６】
蓋１０は上方から見て円形に図示されているが、その形状は容器本体６０の開口部６１に応じて適宜であり、多角形や楕円形等の形状とすることも可能である。
【００２７】
蓋１０は安価かつ簡便に量産して製造できる合成樹脂のシートから形成される。具体的には、ポリエチレン、ポリプロピレン、ポリスチレン、ポリエチレンテレフタレート（ＰＥＴ樹脂）等の熱可塑性樹脂シートを利用可能である。
【００２８】
図３や図４、図５に示されるように、蓋１０には、蓋面部１１に渦巻状の切込み１２を設けることで、弁１４を形成してある。なお、蓋面部は図示されるように平板状なものに限定を受けるものではなく、蓋面部に凹部を設けて該凹部に切込みを設けてもよいし、或いは蓋面部に凸部やドーム状の隆起部を設けて、該凸部や隆起部に切込みを設けてもよい。
【００２９】
切込み１２の形成方法は、トムソン刃による打ち抜きや、レーザー光線照射、その他樹脂製容器に切込みを形成する際に用いられ汎用の手段によればよい。
【００３０】
また、切込み１２の本数は図３等に示されるように一本に限定されるものではなく、平行して複数本設けても構わない。
【００３１】
図１８に示される容器本体部６０と蓋１０の嵌合は、内嵌合と称される形態であり、蓋１０の外周部１３が容器本体６０の開口部６１に嵌り込む形態である。むろん、嵌合形態は図示の内嵌合の他に外嵌合とすることもできる。例えば、蓋の縁部が容器本体の開口部に対して外側から被さる形態である。
【００３２】
本発明は合成樹脂シートを真空、圧空、または真空圧空により金型に密着・加熱させることで成形されるものである。
【００３３】
また、蓋は広義の概念であり、図１に示される蓋１０と容器本体６０との間に介在されることがある中皿７０も、容器本体６０に被せられるものとして蓋の概念に包摂されるものである。そして、この中皿７０の蓋面部７１に切込み７２を設けても構わない。中皿７０に渦巻状の切込み７２を設けることで、中皿７０に置かれたゼラチン状に加工された出汁が加熱されることで液状化し、切込みから容器本体内に滴下すると共に、容器本体内の水蒸気が切込みから排出されるという効果を得られるものである。
【００３４】
三、以下、請求項２記載に係る発明につき概説する。
【００３５】
請求項２記載にかかる包装用容器の蓋２０は、図６に示すように容器本体６０の開口部６１に嵌め込まれて使用されるものである。容器本体部６０内には食品が収容され、蓋２０が被せられた状態のまま、電子レンジのマイクロ波照射により加熱調理されるものである。
【００３６】
蓋２０は上方から見て円形に図示されているが、その形状は容器本体６０の開口部６１に応じて適宜であり、多角形や楕円形等の形状とすることも可能である。
【００３７】
蓋２０は安価かつ簡便に量産して製造できる合成樹脂のシートから形成される。具体的には、ポリエチレン、ポリプロピレン、ポリスチレン、ポリエチレンテレフタレート（ＰＥＴ樹脂）等の熱可塑性樹脂シートを利用可能である。
【００３８】
図８や図９、図１０に示されるように、蓋２０には、蓋面部２１にフェルマーの螺旋に類似する切込み２２，２２、すなわち渦方向が逆となると共に、中心が略同一位置に存する二本の渦巻状の切込み２２，２２が設けてある。かかる切込み２２,２２を設けることで、弁２４が形成されるものである。なお、蓋面部は図示されるように平板状なものに限定を受けるものではなく、蓋面部に凹部を設けて該凹部に切込みを設けてもよいし、或いは蓋面部に凸部やドーム状の隆起部を設けて、該凸部や隆起部に切込みを設けてもよい。
【００３９】
切込み２２の形成方法は、トムソン刃による打ち抜きや、レーザー光線照射、その他樹脂製容器に切込みを形成する際に用いられ汎用の手段によればよい。
【００４０】
図１８に示される容器本体部６０と蓋２０の嵌合は、内嵌合と称される形態であり、蓋２０の外周部２３が容器本体６０の開口部６１に嵌り込む形態である。むろん、嵌合形態は図示の内嵌合の他に外嵌合とすることもできる。例えば、蓋の縁部が容器本体の開口部に対して外側から被さる形態である。
【００４１】
本発明は合成樹脂シートを真空、圧空、または真空圧空により金型に密着・加熱させることで成形されるものである。
【００４２】
また、蓋は広義の概念であり、図６に示される蓋２０と容器本体６０との間に介在されることがある中皿７０も、容器本体６０に被せられるものとして蓋の概念に包摂されるものである。そして、この中皿７０の蓋面部７１に切込み７３を設けても構わない。中皿７０に渦巻状の切込み７３を設けることで、中皿７０に置かれたゼラチン状に加工された出汁が加熱されることで液状化し、切込みから容器本体内に滴下すると共に、容器本体内の水蒸気が切込みから排出されるという効果を得られるものである。
【００４３】
四、以下、請求項３記載に係る発明につき概説する。
【００４４】
請求項３記載にかかる包装用容器の蓋３０は、図１１に示すように容器本体６０の開口部６１に嵌め込まれて使用されるものである。容器本体部６０内には食品が収容され、蓋３０が被せられた状態のまま、電子レンジのマイクロ波照射により加熱調理されるものである。
【００４５】
蓋３０は上方から見て円形に図示されているが、その形状は容器本体６０の開口部６１に応じて適宜であり、多角形や楕円形等の形状とすることも可能である。
【００４６】
蓋３０は安価かつ簡便に量産して製造できる合成樹脂のシートから形成される。具体的には、ポリエチレン、ポリプロピレン、ポリスチレン、ポリエチレンテレフタレート（ＰＥＴ樹脂）等の熱可塑性樹脂シートを利用可能である。
【００４７】
図１１や図１３、図１４に示されるように、蓋３０の蓋面部３１には、直線状の切込みを連続させて渦巻に似た形態にした切込み３２が設けてある。かかる切込み３２を設けることで、弁３４が形成されるものである。なお、蓋面部は図示されるように平板状なものに限定を受けるものではなく、蓋面部に凹部を設けて該凹部に切込みを設けてもよいし、或いは蓋面部に凸部やドーム状の隆起部を設けて、該凸部や隆起部に切込みを設けてもよい。
【００４８】
なお、切込み３２の本数は図１１等に示されるように一本に限定されるものではなく、平行して複数本設けても構わない。或いは図１６に示されるように逆方向に渦を巻く切込み３２を二本設けても構わない。
【００４９】
切込み３２の形成方法は、トムソン刃による打ち抜きや、レーザー光線照射、その他樹脂製容器に切込みを形成する際に用いられ汎用の手段によればよい。
【００５０】
図１８に示される容器本体部６０と蓋３０の嵌合は、内嵌合と称される形態であり、蓋３０の外周部３３が容器本体６０の開口部６１に嵌り込む形態である。むろん、嵌合形態は図示の内嵌合の他に外嵌合とすることもできる。例えば、蓋の縁部が容器本体の開口部に対して外側から被さる形態である。
【００５１】
本発明は合成樹脂シートを真空、圧空、または真空圧空により金型に密着・加熱させることで成形されるものである。
【００５２】
また、蓋は広義の概念であり、図１１に示される蓋３０と容器本体６０との間に介在されることがある中皿７０も、容器本体６０に被せられるものとして蓋の概念に包摂されるものである。そして、この中皿７０の蓋面部７１に切込み７４を設けても構わない。中皿７０に切込み７４を設けることで、中皿７０に置かれたゼラチン状に加工された出汁が加熱されることで液状化し、切込みから容器本体内に滴下すると共に、容器本体内の水蒸気が切込みから排出されるという効果を得られるものである。
【符号の説明】
【００５３】
１０・・蓋
１１・・蓋面部
１２・・切込み
１３・・外周部
１４・・弁
２０・・蓋
２１・・蓋面部
２２・・切込み
２３・・外周部
２４・・弁
３０・・蓋
３１・・蓋面部
３２・・切込み
３３・・外周部
３４・・弁
【図１】
2020066466.tif 000003
【図２】
2020066466.tif 000004
【図３】
2020066466.tif 000005
【図４】
2020066466.tif 000006
【図５】
2020066466.tif 000007
【図６】
2020066466.tif 000008
【図７】
2020066466.tif 000009
【図８】
2020066466.tif 000010
【図９】
2020066466.tif 000011
【図１０】
2020066466.tif 000012
【図１１】
2020066466.tif 000013
【図１２】
2020066466.tif 000014
【図１３】
2020066466.tif 000015
【図１４】
2020066466.tif 000016
【図１５】
2020066466.tif 000017
【図１６】
2020066466.tif 000018
【図１７】
2020066466.tif 000019
【図１８】
2020066466.tif 000020